(57)【要約】【課題】イベントの発生を報知する新たな手段を提供すること。【解決手段】所定のイベントの発生を検知する検知部１１と、検知部１１による所定のイベントの検知に応じて、報知処理を実行する報知部１２と、報知機能を有する外部機器が接続される接続部１３と、外部機器が接続部１３に接続されている状態か否かを判別する判別部１４と、報知部１２を制御する報知制御部１５と、を有する電子機器１０を提供する。報知制御部１５は、検知部１１による所定のイベントの発生の検知に応じて、判別部１４による判別結果を確認し、判別結果に基づいて、報知部１２による報知の態様を決定する。【選択図】図２
2015029170.tif 000002
【特許請求の範囲】
【請求項１】
所定のイベントの発生を検知する検知手段と、
前記検知手段による前記所定のイベントの検知に応じて、報知処理を実行する報知手段と、
報知機能を有する外部機器が接続される接続手段と、
前記外部機器が前記接続手段に接続されている状態か否かを判別する判別手段と、
前記報知手段を制御する報知制御手段と、
を有し、
前記報知制御手段は、前記検知手段による前記所定のイベントの発生の検知に応じて、前記判別手段による判別結果を確認し、前記判別結果に基づいて、前記報知手段による報知の態様を決定する電子機器。
【請求項２】
請求項１に記載の電子機器において、
前記外部機器は、前記所定のイベントの発生に応じて報知処理を実行する電子機器。
【請求項３】
請求項１又は２に記載の電子機器において、
前記報知処理の報知の態様を示す設定情報を記憶する設定記憶手段をさらに有し、
前記報知制御手段は、
前記判別結果が接続されていない状態である場合、前記報知手段に、前記設定情報で特定される報知の態様で報知させ、
前記判別結果が接続されている状態である場合、前記報知手段に、前記設定情報で特定される報知の態様と異なる態様で報知させる電子機器。
【請求項４】
請求項３に記載の電子機器において、
前記報知手段は、音による報知、光による報知、及び、振動による報知の中の少なくとも１つで報知可能に構成されており、
前記設定記憶手段は、前記報知の種別毎の報知の態様を示す前記設定情報を記憶し、
前記報知制御手段は、前記報知手段による報知の態様を、前記報知の種別毎に決定する電子機器。
【請求項５】
請求項３又は４に記載の電子機器において、
前記外部機器は、音による報知、光による報知、及び、振動による報知の中の少なくとも１つで報知可能に構成されており、
前記電子機器は、前記接続手段に接続されている前記外部機器が行う報知の種別を特定する種別特定手段をさらに有し、
前記報知制御手段は、前記検知手段による前記所定のイベントの検知に応じて、前記種別特定手段が特定した前記報知の種別を確認し、確認した前記報知の種別に基づいて、前記報知手段による報知の態様を決定する電子機器。
【請求項６】
請求項５に記載の電子機器において、
前記報知制御手段は、
前記判別結果が接続されている状態である場合、前記種別特定手段が特定した前記報知の種別については、前記設定情報で特定される報知の態様と異なる態様で前記報知手段に報知させる電子機器。
【請求項７】
請求項５に記載の電子機器において、
前記報知制御手段は、
前記判別結果が接続されている状態である場合、前記種別特定手段が特定した前記報知の種別と異なる種別については、前記設定情報で特定される報知の態様と異なる態様で前記報知手段に報知させる電子機器。
【請求項８】
請求項３から７のいずれか１項に記載の電子機器において、
前記報知手段は、音による報知が可能に構成されており、
前記報知制御手段は、前記判別結果が接続されている状態である場合、前記設定情報で特定される報知の態様よりも大きい音量で前記報知手段に報知させる電子機器。
【請求項９】
請求項３から７のいずれか１項に記載の電子機器において、
前記報知手段は、音による報知が可能に構成されており、
前記報知制御手段は、前記判別結果が接続されている状態である場合、前記設定情報で特定される報知の態様よりも小さい音量で前記報知手段に報知させる電子機器。
【請求項１０】
請求項３から９のいずれか１項に記載の電子機器において、
前記報知手段は、所定のリズムでの発光を周期的に繰り返す報知が可能に構成されており、
前記報知制御手段は、前記判別結果が接続されている状態である場合、前記設定情報で特定される前記発光の周期よりも短い周期で前記報知手段に発光させる電子機器。
【請求項１１】
請求項３から９のいずれか１項に記載の電子機器において、
前記報知手段は、所定のリズムでの発光を周期的に繰り返す報知が可能に構成されており、
前記報知制御手段は、前記判別結果が接続されている状態である場合、前記設定情報で特定される前記発光の周期よりも長い周期で前記報知手段に発光させる電子機器。
【請求項１２】
請求項３から１１のいずれか１項に記載の電子機器において、
前記報知手段は、所定のリズムでの振動を周期的に繰り返す報知が可能に構成されており、
前記報知制御手段は、前記判別結果が接続されている状態である場合、前記設定情報で特定される前記振動の周期よりも短い周期で前記報知手段に振動させる電子機器。
【請求項１３】
請求項３から１１のいずれか１項に記載の電子機器において、
前記報知手段は、所定のリズムでの振動を周期的に繰り返す報知が可能に構成されており、
前記報知制御手段は、前記判別結果が接続されている状態である場合、前記設定情報で特定される前記振動の周期よりも長い周期で前記報知手段に振動させる電子機器。
【請求項１４】
請求項３から１３のいずれか１項に記載の電子機器において、
前記報知制御手段は、前記判別結果が接続されている状態である場合、前記設定情報で特定される報知の継続時間よりも長く前記報知手段に報知させる電子機器。
【請求項１５】
コンピュータが、
所定のイベントの発生を検知する検知工程と、
前記検知工程における前記所定のイベントの検知に応じて、報知処理を実行する報知工程と、
報知機能を有する外部機器が接続手段に接続されている状態か否かを判別する判別工程と、
前記報知工程における報知の態様を制御する報知制御工程と、
を実行し、
前記報知制御工程では、前記検知工程における前記所定のイベントの発生の検知に応じて、前記判別工程における判別結果を確認し、前記判別結果に基づいて、前記報知工程における報知の態様を決定する報知方法。
【請求項１６】
コンピュータを、
所定のイベントの発生を検知する検知手段、
前記検知手段による前記所定のイベントの検知に応じて、報知処理を実行する報知手段、
報知機能を有する外部機器が接続手段に接続されている状態か否かを判別する判別手段、
前記報知手段を制御する報知制御手段、
として機能させ、
前記報知制御手段に、前記検知手段による前記所定のイベントの発生の検知に応じて、前記判別手段による判別結果を確認し、前記判別結果に基づいて、前記報知手段による報知の態様を決定させるプログラム。
【発明の詳細な説明】
【技術分野】
【０００１】
本発明は、電子機器、報知方法及びプログラムに関する。
【背景技術】
【０００２】
音、光、振動等による報知手段を備えた電子機器に、音、光、振動等による報知手段を備えた外部機器を接続し、当該電子機器に所定のイベントが発生した際、当該外部機器の報知手段を利用して報知を補助する技術がある。
【０００３】
特許文献１には、携帯式電話機に取り付けられた状態で使用される着信報知装置が開示されている。当該着信報知装置は、携帯式電話機が備える外部接続端子を介して携帯式電話機に取り付けられる。そして、携帯式電話機の着信時には、携帯電話式電話機のアンテナに生じる高調波電流を利用して発光する。
【先行技術文献】
【特許文献】
【０００４】
【特許文献１】特開２００１−１６８９５６号公報
【発明の概要】
【発明が解決しようとする課題】
【０００５】
報知を補助する外部機器を電子機器に接続している場合、ユーザは、当該電子機器による報知の態様に満足していないと推測される。それにも拘らず、所定のイベントの発生時に、外部機器による報知と並行して電子機器による報知をそのまま行わせることは好ましくない。
【０００６】
本発明は、イベントの発生を報知する新たな手段を提供することを課題とする。
【課題を解決するための手段】
【０００７】
本発明によれば、
所定のイベントの発生を検知する検知手段と、
前記検知手段による前記所定のイベントの検知に応じて、報知処理を実行する報知手段と、
報知機能を有する外部機器が接続される接続手段と、
前記外部機器が前記接続手段に接続されている状態か否かを判別する判別手段と、
前記報知手段を制御する報知制御手段と、
を有し、
前記報知制御手段は、前記検知手段による前記所定のイベントの発生の検知に応じて、前記判別手段による判別結果を確認し、前記判別結果に基づいて、前記報知手段による報知の態様を決定する電子機器が提供される。
【０００８】
また、本発明によれば、
コンピュータが、
所定のイベントの発生を検知する検知工程と、
前記検知工程における前記所定のイベントの検知に応じて、報知処理を実行する報知工程と、
報知機能を有する外部機器が接続手段に接続されている状態か否かを判別する判別工程と、
前記報知工程における報知の態様を制御する報知制御工程と、
を実行し、
前記報知制御工程では、前記検知工程における前記所定のイベントの発生の検知に応じて、前記判別工程における判別結果を確認し、前記判別結果に基づいて、前記報知工程における報知の態様を決定する報知方法が提供される。
【０００９】
また、本発明によれば、
コンピュータを、
所定のイベントの発生を検知する検知手段、
前記検知手段による前記所定のイベントの検知に応じて、報知処理を実行する報知手段、
報知機能を有する外部機器が接続手段に接続されている状態か否かを判別する判別手段、
前記報知手段を制御する報知制御手段、
として機能させ、
前記報知制御手段に、前記検知手段による前記所定のイベントの発生の検知に応じて、前記判別手段による判別結果を確認し、前記判別結果に基づいて、前記報知手段による報知の態様を決定させるプログラムが提供される。
【発明の効果】
【００１０】
本発明によれば、イベントの発生を報知する新たな手段が提供される。
【図面の簡単な説明】
【００１１】
【図１】本実施形態の電子機器のハードウェア構成の一例を概念的に示す図である。
【図２】本実施形態の電子機器の機能ブロック図の一例を示す図である。
【図３】本実施形態の電子機器の処理の流れの一例を示すフローチャートである。
【図４】本実施形態の電子機器の機能ブロック図の一例を示す図である。
【図５】本実施形態の電子機器が記憶する設定情報の一例を模式的に示す図である。
【図６】本実施形態の電子機器が記憶する設定情報の一例を模式的に示す図である。
【図７】本実施形態の電子機器の処理の流れの一例を示すフローチャートである。
【図８】本実施形態の電子機器の機能ブロック図の一例を示す図である。
【図９】本実施形態の電子機器の処理の流れの一例を示すフローチャートである。
【発明を実施するための形態】
【００１２】
以下、本発明の実施の形態について図面を用いて説明する。なお、同様の構成要素には同様の符号を付し、適宜説明を省略する。
【００１３】
＜ハードウェア構成＞
本実施形態の電子機器は、任意のコンピュータのＣＰＵ（Central Processing Unit）、メモリ、メモリにロードされたプログラム（あらかじめ装置を出荷する段階からメモリ内に格納されているプログラムのほか、ＣＤ（Compact Disc）等の記憶媒体やインターネット上のサーバ等からダウンロードされたプログラムも含む）、そのプログラムを格納するハードディスク等の記憶ユニット、ネットワーク接続用インタフェイスを中心にハードウェアとソフトウェアの任意の組合せによって実現される。そして、その実現方法、装置にはいろいろな変形例があることは、当業者には理解されるところである。
【００１４】
図１は、本実施形態の電子機器のハードウェア構成の一例を概念的に示す図である。電子機器は据置型の装置であってもよいし、携帯端末であってもよい。図示するように、本実施形態の電子機器は、例えば、バス１７Ａで相互に接続されるＣＰＵ１Ａ、ＲＡＭ２Ａ、ＲＯＭ３Ａ、通信部４Ａ、表示制御部５Ａ、ディスプレイ６Ａ、操作受付部７Ａ、操作部８Ａ、音声制御部９Ａ、スピーカ１０Ａ、ライト制御部１１Ａ、ライト１２Ａ、振動制御部１３Ａ、振動発生部１４Ａ、外部機器Ｉ／Ｆ１５Ａ、補助記憶装置１６Ａ等を有する。なお、図示しないが、動画像や静止画像を撮像するカメラ部などのその他の要素を含むこともできる。
【００１５】
ＣＰＵ１Ａは各要素とともに電子機器のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。補助記憶装置１６Ａは大量のデータを記憶可能であり、例えば磁気記憶のハードディスクであってもよい。
【００１６】
操作部８Ａは、操作キー、操作ボタン、スイッチ、ジョグダイヤル、タッチパッド、ディスプレイと一体になったタッチパネルなどを含む。操作受付部７Ａは、ユーザが操作部８Ａを操作することでなされるユーザ入力を受付ける。
【００１７】
通信部４Ａは、有線で接続された外部機器と通信を行うことができる。また、通信部４Ａは、あらゆる無線通信技術（近距離無線通信、無線ＬＡＮ通信、携帯電話通信網を利用した通信等）を利用して外部機器と通信を行うことができる。外部機器Ｉ／Ｆ１５Ａは、外部機器と接続するためのＩ／Ｆを提供する。
【００１８】
ディスプレイ６Ａは、ＬＥＤ（Light Emitting Diode）表示器や、液晶ディスプレイ、有機ＥＬ（Electro Luminescence）ディスプレイなどを含む。表示制御部５Ａは、ＣＰＵ１Ａからの指示に従い、ディスプレイ６Ａに各種画面表示を行う。
【００１９】
音声制御部９Ａは、ＣＰＵ１Ａからの指示に従いスピーカ１０Ａを制御し、所定の音を出力する。ライト制御部１１Ａは、ＣＰＵ１Ａからの指示に従い、所定のリズム、所定の周期、所定の明るさでライト１２Ａを発光させる。振動制御部１３Ａは、ＣＰＵ１Ａからの指示に従い振動発生部１４Ａを制御し、所定のリズム、所定の周期、所定の強さで振動を発生させる。
【００２０】
＜第１の実施形態＞
図２に、本実施形態の電子機器１０の機能ブロック図の一例を示す。図示するように、電子機器１０は、検知部１１と、報知部１２と、接続部１３と、判別部１４と、報知制御部１５とを有する。
【００２１】
検知部１１は、所定のイベントの発生を検知する。所定のイベントは、電子機器１０内で発生するイベントであり、例えば、通話要求の受信、メールの受信、アラーム設定時刻の到達、電子機器１０内にインストールされているプログラム（ニュース情報を提供するアプリ等）の更新通知の取得等が考えられる。検知部１１が検知する所定のイベントは、ここでの例示に限定されない。
【００２２】
なお、検知部１１は、さらに、イベントの終了を検知することができてもよい。イベントの終了は、例えば、通話要求の停止であってもよいし、通話要求受信者側による通話要求に対する所定の操作（通話要求の受諾、拒否等）であってもよいし、または、メールの受信、アラーム設定時刻の到達、及び、電子機器１０内にインストールされているプログラムの更新通知の取得等のイベント発生から予め定められている報知継続時間の経過であってもよい。検知部１１がこのような所定のイベントの発生やイベントの終了を検知する手段は特段制限されず、あらゆる技術を採用することができる。
【００２３】
報知部１２は、検知部１１による所定のイベントの発生の検知に応じて、報知処理を実行する。報知処理は、音による報知、光による報知（例：所定のリズムでの発光を周期的に繰り返す報知）、および、振動による報知（例：所定のリズムでの振動を周期的に繰り返す報知）の中の少なくとも１つを含む。報知部１２は、検知部１１による所定のイベントの検知に応じて報知処理を開始した後、検知部１１による当該イベントの終了の検知に応じて、報知処理を終了してもよい。
【００２４】
接続部１３は、報知機能を有する外部機器が接続される。接続部１３は、例えば、外部接続端子を備え、当該端子を介して外部機器と接続されてもよい。外部接続端子の種類は特段制限されない。現時点で広く普及している携帯電話端末の場合、イヤフォンジャックや、電源装置が接続される端子等が考えられる。また、ＰＣ（Personal Computer）の場合、これらに加えてＵＳＢ、ＨＤＭＩ等のその他の端子が考えられる。
【００２５】
なお、接続部１３は、外部接続端子以外の手段で外部機器と接続されてもよい。例えば、接続部１３は、外部機器の一部または全体を保持し、固定する機構を備え、当該機構を介して外部機器を保持することで、外部機器と接続されてもよい。
【００２６】
ここで、外部機器について説明する。外部機器は、電子機器１０内での上記所定のイベントの発生に応じて報知処理を実行する。外部機器は、スピーカ、ライト、および、振動発生部の中の少なくとも１つを備えており、音による報知、光による報知（例：所定のリズムでの発光を周期的に繰り返す報知）、および、振動による報知（例：所定のリズムでの振動を周期的に繰り返す報知）の中の少なくとも１つを実行する。
【００２７】
外部機器による報知の具体的な態様、すなわち、音の種類（サイレン、ブザー、音楽等）、音量、発光リズムのパターン、発光周期、振動リズムのパターン、振動周期等は設定的事項である。外部機器は、予め定められた１つの態様のみで報知するよう構成されてもよい。または、接続部１３が備える外部接続端子を介して電子機器１０からデータを受信し、当該データを利用して所定の音を出力したり、また、当該データに基づいた所定のリズムのパターン及び周期で発光したり、振動を発生してもよい。
【００２８】
外部機器は、所定のイベントの発生時に電子機器１０から取得できる電波や磁界をエネルギーとして利用し、当該エネルギーを取得できている間のみ報知処理を実行してもよい。例えば特許文献１に記載の技術のように、電子機器１０が備えるアンテナに生じる高調波電流により誘導電流を生じさせ、当該誘導電流が生じている間のみ報知処理を実行してもよい。
【００２９】
または、外部機器は上記所定のイベントの発生及び終了を検知してもよい。そして、所定のイベントの発生の検知に応じて報知処理を開始し、イベントの終了の検知に応じて報知処理を終了してもよい。この場合、外部機器は、自己が備える電源、又は、接続部１３が備える外部接続端子を介して電子機器１０からエネルギーを取得し、駆動することができる。なお、所定のイベントの発生及び終了の検知は、例えば、所定のイベントの発生時に電子機器１０から取得できる電波や磁界を情報として利用することで、実現してもよい。例えば、電子機器１０から当該電波や磁界を取得していない状態から取得している状態に変わったことを検知することで、所定のイベントの発生を検知する。そして、電子機器１０から当該電波や磁界を取得している状態から取得していない状態に変わったことを検知することで、所定のイベントの終了を検知する。その他、外部機器は、接続部１３が備える外部接続端子を介して、検知部１１による上記検知結果を示す情報を電子機器１０から受信することで、上記所定のイベントの発生及び終了を検知してもよい。
【００３０】
図２に戻り、判別部１４は、外部機器が接続部１３に接続されている状態か否かを判別する。判別手段は特段制限されず、あらゆる技術を採用することができる。例えば、外部機器の接続状態に応じてＯＮ／ＯＦＦが切り替わるスイッチを設けておき、当該スイッチの状態を判別することで、外部機器と接続部１３の接続状態を判別してもよい。操作用外部機器に磁石を設けておき、かつ、判別部１４は、外部機器が接続部１３に接続している場合に当該磁石の磁力を検出するよう構成してもよい。そして、判別部１４は、当該磁力を検出しているか否かに基づいて、外部機器と接続部１３の接続状態を判別してもよい。
【００３１】
報知制御部１５は、報知部１２を制御する。具体的には、報知制御部１５は、検知部１１による所定のイベントの発生の検知に応じて、判別部１４による判別結果を確認する。そして、判別部１４の判別結果に基づいて、報知部１２による報知の態様を決定する。報知の態様とは、報知部１２が実行可能な報知処理（音による報知、光による報知、および、振動による報知等）の中のどの報知処理を実行するか、また、各種報知処理の具体的な態様（音の種類（サイレン、ブザー、音楽等）、音量、発光リズムのパターン、発光周期、振動リズムのパターン、振動周期、報知を継続する時間等）等を含む。本実施形態において、報知制御部１５が決定する報知の態様は設計的事項である。報知部１２は、報知制御部１５が決定した報知の態様で報知する。
【００３２】
次に、図３のフローチャートを用いて、本実施形態の電子機器１０の処理の流れの一例を説明する。
【００３３】
電子機器１０は、所定のイベントの発生待ち状態を継続している（Ｓ１０のＮｏ）。そして、検知部１１が所定のイベントの発生を検知すると（Ｓ１０のＹｅｓ）、報知制御部１５は、判別部１４を介して電子機器１０に外部機器が接続されているか否かを判別する（Ｓ１１）。
【００３４】
その後、報知制御部１５は、Ｓ１１での判別結果に応じて、報知部１２による報知の態様を決定する（Ｓ１１）。なお、Ｓ１１で、報知制御部１５は、電子機器１０に外部機器が接続されている場合と、接続されていない場合とで、異なる報知の態様を決定する。その後、報知部１２は、Ｓ１２で報知制御部１５が決定した態様で報知する（Ｓ１３）。
【００３５】
なお、電子機器１０に外部機器が接続されている場合、外部機器は、電子機器１０に所定のイベントが発生した後、任意のタイミングで報知処理を開始する。
【００３６】
以上説明した本実施形態によれば、外部機器の接続状態に応じて、電子機器１０による報知の態様を変更することができる。
【００３７】
例えば、外部機器が接続されていない状態の場合、電子機器１０は、予め各ユーザにより設定されている報知態様で報知することができる。外部機器が接続されていない状態の場合、ユーザは、電子機器１０による報知の態様に満足していると推測されるので、設定内容のまま報知することが好ましい。
【００３８】
一方、外部機器が接続されている状態の場合は、電子機器１０は、予め各ユーザにより設定されている報知態様と異なる態様、例えば、設定されている報知態様よりも省電力なモード（音量を小さくする等）で報知したり、または、設定されている報知態様よりも報知効果を強化したモード（音量を大きくする等）で報知したりすることができる。外部機器が接続されている状態の場合、ユーザは、電子機器１０による報知の態様に満足していないと推測される。すなわち、設定内容のままの報知は無意味であり、設定内容を変更することが好ましい。例えば、省電力モードとすることで電力消費を抑えたり、報知を強化することでユーザのニーズに近い態様に自動変更したりすることができる。
【００３９】
このように、外部機器の接続状態に応じて、電子機器１０による報知の態様を変更することで、従来の電子機器にない新たな効果を実現することができる。
【００４０】
＜第２の実施形態＞
図４に、本実施形態の電子機器１０の機能ブロック図の一例を示す。図示するように、電子機器１０は、検知部１１と、報知部１２と、接続部１３と、判別部１４と、報知制御部１５と、設定記憶部１６とを有する。検知部１１、報知部１２、接続部１３及び判別部１４の構成は、第１の実施形態と同様である。
【００４１】
設定記憶部１６は、報知部１２による報知処理の報知の態様を示す設定情報を記憶する。図５及び図６に、設定情報の一例を模式的に示す。
【００４２】
図５及び図６に示す設定情報には、所定のイベントのＩＤに対応付けて、音による報知の具体的な態様、光による報知の具体的な態様、振動による報知の具体的な態様、報知を継続する時間等が記載されている。なお、設定情報は、その他の情報を含んでもよい。
【００４３】
図５に示す設定情報によれば、イベントＩＤ「××○○×○」のイベントが発生した際、音による報知、光による報知、及び、振動による報知のすべてが実行されるように設定されていることがわかる。音による報知の音量は「○○」であり、音の種類は「△△」である。光による報知の発光リズムのパターンは「××」であり、発光の周期は「□□」である。振動による報知の振動リズムのパターンは「○×」であり、振動の周期は「×○」である。そして、報知を継続する時間は「×○×秒」である。
【００４４】
図６に示す設定情報によれば、イベントＩＤ「□□○○□□」のイベントが発生した際、音による報知、及び、光による報知が実行されるように設定されていることがわかる。音による報知の音量は「○□」であり、音の種類は「△△」である。光による報知の発光リズムのパターンは「××」であり、発光の周期は「□○」である。
【００４５】
このように、設定記憶部１６は、報知の種別毎（音、光、振動等）の報知の態様を示す設定情報を記憶することができる。なお、設定情報の内容は、ユーザ操作に基づいて変更可能となっている。
【００４６】
図４に戻り、報知制御部１５は、検知部１１による所定のイベントの発生の検知に応じて、判別部１４による判別結果を確認し、判別結果が接続されていない状態である場合、報知部１２に、設定情報（例：図５、図６）で特定される報知の態様で報知させる。一方、判別結果が接続されている状態である場合、報知部１２に、設定情報（例：図５、図６）で特定される報知の態様と少なくとも一部が異なる態様で報知させる。なお、報知制御部１５は、報知部１２による報知の態様を、報知の種別毎に決定することができてもよい。
【００４７】
以下、上記判別結果が接続されている状態である場合に、報知制御部１５が決定する報知の態様について具体例を説明する。
【００４８】
例えば、報知制御部１５は、設定情報（例：図５、図６）で特定される報知の態様よりも大きい音量で報知部１２に報知させるよう決定してもよい。
【００４９】
外部機器が接続されている状態の場合、ユーザは、電子機器１０による報知の態様に満足していないと推測される。音量を上げ、報知効果を強化することで、ユーザが満足する報知態様に近づけることができる。
【００５０】
その他の例として、報知制御部１５は、設定情報（例：図５、図６）で特定される報知の態様よりも小さい音量で報知部１２に報知させるよう決定してもよい。例えば、音量「０」、すなわち音による報知を行わないように決定してもよい。
【００５１】
外部機器が接続されている状態の場合、ユーザは、電子機器１０による報知の態様に満足していないと推測される。外部機器による報知でユーザが満足する報知を実現できる場合、報知部１２による報知の音量を下げることで、電力の消費を抑えることができる。
【００５２】
その他の例として、報知制御部１５は、設定情報（例：図５、図６）で特定される報知の態様よりも短い周期の発光により報知部１２に報知させるよう決定してもよい。
【００５３】
外部機器が接続されている状態の場合、ユーザは、電子機器１０による報知の態様に満足していないと推測される。所定のパターンのリズムでの発光を繰り返す周期を短くすることで、ユーザの目にとまりやすくすることができる。結果、報知効果を強化することができ、ユーザが満足する報知態様に近づけることができる。
【００５４】
その他の例として、報知制御部１５は、設定情報（例：図５、図６）で特定される報知の態様よりも長い周期の発光により報知部１２に報知させるよう決定してもよい。または、光による報知を行わないように決定してもよい。
【００５５】
外部機器が接続されている状態の場合、ユーザは、電子機器１０による報知の態様に満足していないと推測される。外部機器による報知でユーザが満足する報知を実現できる場合、報知部１２による発光の周期を長くしたり、発光による報知を行わないようにすることで、電力の消費を抑えることができる。
【００５６】
その他の例として、報知制御部１５は、設定情報（例：図５、図６）で特定される報知の態様よりも短い周期の振動により報知部１２に報知させるよう決定してもよい。
【００５７】
外部機器が接続されている状態の場合、ユーザは、電子機器１０による報知の態様に満足していないと推測される。所定のパターンのリズムでの振動を繰り返す周期を短くすることで、ユーザに気づかれやすくすることができる。結果、報知効果を強化することができ、ユーザが満足する報知態様に近づけることができる。
【００５８】
その他の例として、報知制御部１５は、設定情報（例：図５、図６）で特定される報知の態様よりも長い周期の振動により報知部１２に報知させるよう決定してもよい。または、振動による報知を行わないように決定してもよい。
【００５９】
外部機器が接続されている状態の場合、ユーザは、電子機器１０による報知の態様に満足していないと推測される。外部機器による報知でユーザが満足する報知を実現できる場合、報知部１２による振動の周期を長くしたり、振動による報知を行わないようにすることで、電力の消費を抑えることができる。
【００６０】
その他の例として、報知制御部１５は、設定情報（例：図５、図６）で特定される継続時間よりも長い間、報知部１２に報知させるよう決定してもよい。
【００６１】
外部機器が接続されている状態の場合、ユーザは、電子機器１０による報知の態様に満足していないと推測される。報知の継続時間を長くすることで、報知効果を強化することができ、ユーザが満足する報知態様に近づけることができる。
【００６２】
上記判別結果が接続されている状態である場合に、報知制御部１５が決定する報知の態様は、矛盾しない範囲で、上記具体例の中の２つ以上を組み合わせることもできる。なお、報知制御部１５は、設定情報（例：図５、図６）で特定される報知の態様の少なくとも一部を変更すればよく、必ずしもすべてを変更する必要はない。なお、設定情報（例：図５、図６）で特定される報知の態様のすべてを変更してもよい。
【００６３】
次に、図７のフローチャートを用いて、本実施形態の電子機器１０の処理の流れの一例を説明する。
【００６４】
電子機器１０は、所定のイベントの発生待ち状態を継続している（Ｓ２０のＮｏ）。そして、検知部１１が所定のイベントの発生を検知すると（Ｓ２０のＹｅｓ）、報知制御部１５は、判別部１４を介して電子機器１０に外部機器が接続されているか否かを判別する（Ｓ２１）。
【００６５】
その後、報知制御部１５は、Ｓ２１での判別の結果に応じて、報知部１２による報知の態様を決定する。具体的には、Ｓ２１での判別の結果が「接続されている」である場合（Ｓ２２のＹｅｓ）、報知部１２の報知の態様として、設定記憶部１６に記憶されている設定情報で特定される報知の態様と少なくとも一部が異なる態様を決定する（Ｓ２３）。この場合、報知制御部１５は、設定情報のままで報知する旨を示す制御信号を報知部１２に入力してもよいし、または、なんら制御信号を報知部１２に入力しなくてもよい。
【００６６】
一方、Ｓ２１での判別の結果が「接続されていない」である場合（Ｓ２２のＮｏ）、報知部１２の報知の態様として、設定記憶部１６に記憶されている設定情報で特定される報知の態様を決定する（Ｓ２４）。この場合、報知制御部１５は、設定情報で特定される報知の態様の中の所定の設定を所定量変更する旨を示す制御信号を報知部１２に入力する。
【００６７】
その後、報知部１２は、設定記憶部１６から取得した所定の設定情報に基づき、Ｓ２３またはＳ２４で報知制御部１５が決定した態様で報知する。すなわち、報知部１２は、報知制御部１５から設定情報のままで報知する旨を示す制御信号を入力された場合、または、なんら制御信号を入力されなかった場合（例：イベント検知後所定のタイミングまでに制御信号が入力されなかった場合）、設定情報で特定される報知の態様で報知する。一方、報知部１２は、報知制御部１５から設定情報で特定される報知の態様の中の所定の設定を所定量変更する旨を示す制御信号を入力された場合、当該制御信号に従い設定情報で特定される報知の態様を変更し、変更後の態様で報知する。
【００６８】
なお、電子機器１０に外部機器が接続されている場合、外部機器は、電子機器１０に所定のイベントが発生した後、任意のタイミングで報知処理を開始する。
【００６９】
以上説明した本実施形態によれば、第１の実施形態と同様の作用効果を実現することができる。また、外部機器が接続されている状態の場合、電子機器１０による報知を、予め設定されている報知態様よりも省電力なモード（例：音量を小さくする等）で報知したり、または、設定されている報知態様よりも報知効果を強化したモード（例：音量を大きくする等）で報知したりすることで、ユーザのニーズにあった報知を実現することができる。
【００７０】
＜第３の実施形態＞
図８に、本実施形態の電子機器１０の機能ブロック図の一例を示す。図示するように、電子機器１０は、検知部１１と、報知部１２と、接続部１３と、判別部１４と、報知制御部１５と、設定記憶部１６と、種別特定部１７を有する。検知部１１、報知部１２、接続部１３、判別部１４及び設定記憶部１６の構成は、第１及び第２の実施形態と同様である。
【００７１】
種別特定部１７は、接続部１３に接続されている外部機器が行う報知の種別を特定する。例えば、判別部１４が接続部１３と外部機器との接続を検知すると、種別特定部１７はそれに応じて、外部機器が行う報知の種別をユーザに問い合わせる問い合わせ画面をディスプレイに表示してもよい。そして、当該問い合わせに対する回答の入力をユーザから受付けることで、外部機器の報知の種別を特定してもよい。その他の例として、接続部１３が外部接続端子を介して外部機器と接続している場合、当該外部接続端子を介して外部機器と通信を行い、外部機器から外部機器の報知の種別を特定する情報を受信してもよい。
【００７２】
報知制御部１５は、検知部１１による所定のイベントの検知に応じて、種別特定部１７が特定した報知の種別を確認し、確認した報知の種別に基づいて、報知部１２による報知の態様を決定する。
【００７３】
例えば、報知制御部１５は、種別特定部１７が特定した外部機器の報知の種別については、設定情報で特定される報知の態様と異なる態様で報知部１２に報知させるよう決定してもよい。例えば、音による報知のみを行う外部機器が接続部１３に接続されている場合、報知制御部１５は、設定情報で特定される報知の態様の中の音による報知の設定のみを変更した態様で報知するよう決定してもよい。また、音及び光による報知のみを行う外部機器が接続部１３に接続されている場合、報知制御部１５は、設定情報で特定される報知の態様の中の音による報知及び光による報知の設定のみを変更した態様で報知するよう決定してもよい。なお、どのように変更するかについては、第２の実施形態で説明した通りであるので、ここでの説明は省略する。
【００７４】
例えば音による報知のみを行う外部機器が接続部１３に接続されている場合、ユーザは、電子機器１０による音の報知の態様に満足していないと推測される。電子機器１０による音の報知の態様を変更することで、ユーザが満足する報知態様に近づけることができる。このように、接続部１３に接続されている外部機器の報知の種別と同じ種別の報知の態様を、設定されている態様から変更することで、ユーザが満足する報知態様に近づけることができる。
【００７５】
その他の例として、報知制御部１５は、種別特定部１７が特定した外部機器の報知の種別と異なる種別については、設定情報で特定される報知の態様と異なる態様で報知部１２に報知させるよう決定してもよい。例えば、音による報知のみを行う外部機器が接続部１３に接続されている場合、報知制御部１５は、設定情報で特定される報知の態様の中の光による報知及び振動による報知の設定のみを変更した態様で報知するよう決定してもよい。また、音及び光による報知のみを行う外部機器が接続部１３に接続されている場合、報知制御部１５は、設定情報で特定される報知の態様の中の振動による報知の設定のみを変更した態様で報知するよう決定してもよい。なお、どのように変更するかについては、第２の実施形態で説明した通りであるので、ここでの説明は省略する。
【００７６】
例えば音による報知のみを行う外部機器が接続部１３に接続されている場合、ユーザは、音による報知を必要としていると推測される。電子機器１０によるその他の報知の態様を変更することで（例：その他の報知を行わないように変更する）、ユーザが満足する報知態様に近づけることができる。このように、接続部１３に接続されている外部機器の報知の種別と異なる種別の報知の態様を、設定されている態様から変更することで、ユーザが満足する報知態様に近づけることができる。
【００７７】
次に、図９のフローチャートを用いて、本実施形態の電子機器１０の処理の流れの一例を説明する。
【００７８】
電子機器１０は、所定のイベントの発生待ち状態を継続している（Ｓ３０のＮｏ）。そして、検知部１１が所定のイベントの発生を検知すると（Ｓ３０のＹｅｓ）、報知制御部１５は、判別部１４を介して電子機器１０に外部機器が接続されているか否かを判別する（Ｓ３１）。
【００７９】
Ｓ３１での判別の結果が「接続されている」である場合（Ｓ３２のＹｅｓ）、報知制御部１５は種別特定部１７を介して、接続されている外部機器の報知の種別を確認する（Ｓ３３）。その後、報知部１２の報知の態様として、設定記憶部１６に記憶されている設定情報で特定される報知の態様の少なくとも一部を、Ｓ３３で確認した報知の種別に基づき異ならせた態様を決定する（Ｓ３４）。この場合、報知制御部１５は、設定情報で特定される報知の態様の中の所定の設定を所定量変更する旨を示す制御信号を報知部１２に入力する。
【００８０】
一方、Ｓ３１での判別の結果が「接続されていない」である場合（Ｓ３２のＮｏ）、報知制御部１５は、報知部１２の報知の態様として、設定記憶部１６に記憶されている設定情報で特定される報知の態様を決定する（Ｓ３５）。この場合、報知制御部１５は、設定情報のままで報知する旨を示す制御信号を報知部１２に入力してもよいし、または、なんら制御信号を報知部１２に入力しなくてもよい。
【００８１】
その後、報知部１２は、設定記憶部１６から取得した所定の設定情報に基づき、Ｓ３４またはＳ３５で報知制御部１５が決定した態様で報知する。すなわち、報知部１２は、報知制御部１５から設定情報のままで報知する旨を示す制御信号を入力された場合、または、なんら制御信号を入力されなかった場合（例：イベント検知後所定のタイミングまでに制御信号が入力されなかった場合）、設定情報で特定される報知の態様で報知する。一方、報知部１２は、報知制御部１５から設定情報で特定される報知の態様の中の所定の設定を所定量変更する旨を示す制御信号を入力された場合、当該制御信号に従い設定情報で特定される報知の態様を変更し、変更後の態様で報知する。
【００８２】
なお、電子機器１０に外部機器が接続されている場合、外部機器は、電子機器１０に所定のイベントが発生した後、任意のタイミングで報知処理を開始する。
【００８３】
以上説明した本実施形態によれば、第１及び第２の実施形態と同様の作用効果を実現することができる。また、外部機器が接続されている状態の場合、電子機器１０による報知を、予め設定されている報知態様よりも省電力なモード（音量を小さくする等）で報知したり、または、設定されている報知態様よりも報知効果を強化したモード（音量を大きくする等）で報知したりすることで、ユーザのニーズにあった報知を実現することができる。さらに、接続されている外部機器の報知の種別に応じて報知の態様を変更することで、より、ユーザのニーズにあった報知を実現することができる。
【００８４】
以下、参考形態の例を付記する。
１．  所定のイベントの発生を検知する検知手段と、
前記検知手段による前記所定のイベントの検知に応じて、報知処理を実行する報知手段と、
報知機能を有する外部機器が接続される接続手段と、
前記外部機器が前記接続手段に接続されている状態か否かを判別する判別手段と、
前記報知手段を制御する報知制御手段と、
を有し、
前記報知制御手段は、前記検知手段による前記所定のイベントの発生の検知に応じて、前記判別手段による判別結果を確認し、前記判別結果に基づいて、前記報知手段による報知の態様を決定する電子機器。
２．  １に記載の電子機器において、
前記外部機器は、前記所定のイベントの発生に応じて報知処理を実行する電子機器。
３．  １又は２に記載の電子機器において、
前記報知処理の報知の態様を示す設定情報を記憶する設定記憶手段をさらに有し、
前記報知制御手段は、
前記判別結果が接続されていない状態である場合、前記報知手段に、前記設定情報で特定される報知の態様で報知させ、
前記判別結果が接続されている状態である場合、前記報知手段に、前記設定情報で特定される報知の態様と異なる態様で報知させる電子機器。
４．  ３に記載の電子機器において、
前記報知手段は、音による報知、光による報知、及び、振動による報知の中の少なくとも１つで報知可能に構成されており、
前記設定記憶手段は、前記報知の種別毎の報知の態様を示す前記設定情報を記憶し、
前記報知制御手段は、前記報知手段による報知の態様を、前記報知の種別毎に決定する電子機器。
５．  ３又は４に記載の電子機器において、
前記外部機器は、音による報知、光による報知、及び、振動による報知の中の少なくとも１つで報知可能に構成されており、
前記電子機器は、前記接続手段に接続されている前記外部機器が行う報知の種別を特定する種別特定手段をさらに有し、
前記報知制御手段は、前記検知手段による前記所定のイベントの検知に応じて、前記種別特定手段が特定した前記報知の種別を確認し、確認した前記報知の種別に基づいて、前記報知手段による報知の態様を決定する電子機器。
６．  ５に記載の電子機器において、
前記報知制御手段は、
前記判別結果が接続されている状態である場合、前記種別特定手段が特定した前記報知の種別については、前記設定情報で特定される報知の態様と異なる態様で前記報知手段に報知させる電子機器。
７．  ５に記載の電子機器において、
前記報知制御手段は、
前記判別結果が接続されている状態である場合、前記種別特定手段が特定した前記報知の種別と異なる種別については、前記設定情報で特定される報知の態様と異なる態様で前記報知手段に報知させる電子機器。
８．  ３から７のいずれかに記載の電子機器において、
前記報知手段は、音による報知が可能に構成されており、
前記報知制御手段は、前記判別結果が接続されている状態である場合、前記設定情報で特定される報知の態様よりも大きい音量で前記報知手段に報知させる電子機器。
９．  ３から７のいずれかに記載の電子機器において、
前記報知手段は、音による報知が可能に構成されており、
前記報知制御手段は、前記判別結果が接続されている状態である場合、前記設定情報で特定される報知の態様よりも小さい音量で前記報知手段に報知させる電子機器。
１０．  ３から９のいずれかに記載の電子機器において、
前記報知手段は、所定のリズムでの発光を周期的に繰り返す報知が可能に構成されており、
前記報知制御手段は、前記判別結果が接続されている状態である場合、前記設定情報で特定される前記発光の周期よりも短い周期で前記報知手段に発光させる電子機器。
１１．  ３から９のいずれかに記載の電子機器において、
前記報知手段は、所定のリズムでの発光を周期的に繰り返す報知が可能に構成されており、
前記報知制御手段は、前記判別結果が接続されている状態である場合、前記設定情報で特定される前記発光の周期よりも長い周期で前記報知手段に発光させる電子機器。
１２．  ３から１１のいずれかに記載の電子機器において、
前記報知手段は、所定のリズムでの振動を周期的に繰り返す報知が可能に構成されており、
前記報知制御手段は、前記判別結果が接続されている状態である場合、前記設定情報で特定される前記振動の周期よりも短い周期で前記報知手段に振動させる電子機器。
１３．  ３から１１のいずれかに記載の電子機器において、
前記報知手段は、所定のリズムでの振動を周期的に繰り返す報知が可能に構成されており、
前記報知制御手段は、前記判別結果が接続されている状態である場合、前記設定情報で特定される前記振動の周期よりも長い周期で前記報知手段に振動させる電子機器。
１４．  ３から１３のいずれかに記載の電子機器において、
前記報知制御手段は、前記判別結果が接続されている状態である場合、前記設定情報で特定される報知の継続時間よりも長く前記報知手段に報知させる電子機器。
１５．  コンピュータが、
所定のイベントの発生を検知する検知工程と、
前記検知工程における前記所定のイベントの検知に応じて、報知処理を実行する報知工程と、
報知機能を有する外部機器が接続手段に接続されている状態か否かを判別する判別工程と、
前記報知工程における報知の態様を制御する報知制御工程と、
を実行し、
前記報知制御工程では、前記検知工程における前記所定のイベントの発生の検知に応じて、前記判別工程における判別結果を確認し、前記判別結果に基づいて、前記報知工程における報知の態様を決定する報知方法。
１５−２．  １５に記載の報知方法において、
前記外部機器は、前記所定のイベントの発生に応じて報知処理を実行する報知方法。
１５−３．  １５又は１５−２に記載の報知方法において、
前記コンピュータは、前記報知処理の報知の態様を示す設定情報を記憶しておき、
前記報知制御工程では、
前記判別結果が接続されていない状態である場合、前記報知工程において、前記設定情報で特定される報知の態様で報知させ、
前記判別結果が接続されている状態である場合、前記報知工程において、前記設定情報で特定される報知の態様と異なる態様で報知させる報知方法。
１５−４．  １５−３に記載の報知方法において、
前記報知工程では、音による報知、光による報知、及び、振動による報知の中の少なくとも１つで報知可能であり、
前記コンピュータは、前記報知の種別毎の報知の態様を示す前記設定情報を記憶し、
前記報知制御工程では、前記報知工程における報知の態様を、前記報知の種別毎に決定する報知方法。
１５−５．  １５−３又は１５−４に記載の報知方法において、
前記外部機器は、音による報知、光による報知、及び、振動による報知の中の少なくとも１つで報知可能に構成されており、
前記コンピュータは、前記接続手段に接続されている前記外部機器が行う報知の種別を特定する種別特定工程をさらに実行し、
前記報知制御工程では、前記検知工程における前記所定のイベントの検知に応じて、前記種別特定工程で特定した前記報知の種別を確認し、確認した前記報知の種別に基づいて、前記報知工程における報知の態様を決定する報知方法。
１５−６．  １５−５に記載の報知方法において、
前記報知制御工程では、
前記判別結果が接続されている状態である場合、前記種別特定工程で特定した前記報知の種別については、前記設定情報で特定される報知の態様と異なる態様で前記報知工程において報知させる報知方法。
１５−７．  １５−５に記載の報知方法において、
前記報知制御工程では、
前記判別結果が接続されている状態である場合、前記種別特定工程で特定した前記報知の種別と異なる種別については、前記設定情報で特定される報知の態様と異なる態様で前記報知工程において報知させる報知方法。
１５−８．  １５−３から１５−７のいずれかに記載の報知方法において、
前記報知工程では、音による報知が可能であり、
前記報知制御工程では、前記判別結果が接続されている状態である場合、前記設定情報で特定される報知の態様よりも大きい音量で前記報知工程において報知させる報知方法。
１５−９．  １５−３から１５−７のいずれかに記載の報知方法において、
前記報知工程では、音による報知が可能であり、
前記報知制御工程では、前記判別結果が接続されている状態である場合、前記設定情報で特定される報知の態様よりも小さい音量で前記報知工程において報知させる報知方法。
１５−１０．  １５−３から１５−９のいずれかに記載の報知方法において、
前記報知工程では、所定のリズムでの発光を周期的に繰り返す報知が可能であり、
前記報知制御工程では、前記判別結果が接続されている状態である場合、前記設定情報で特定される前記発光の周期よりも短い周期で前記報知工程において発光させる報知方法。
１５−１１．  １５−３から１５−９のいずれかに記載の報知方法において、
前記報知工程では、所定のリズムでの発光を周期的に繰り返す報知が可能であり、
前記報知制御工程では、前記判別結果が接続されている状態である場合、前記設定情報で特定される前記発光の周期よりも長い周期で前記報知工程において発光させる報知方法。
１５−１２．  １５−３から１５−１１のいずれかに記載の報知方法において、
前記報知工程では、所定のリズムでの振動を周期的に繰り返す報知が可能であり、
前記報知制御工程では、前記判別結果が接続されている状態である場合、前記設定情報で特定される前記振動の周期よりも短い周期で前記報知工程において振動させる報知方法。
１５−１３．  １５−３から１５−１１のいずれかに記載の報知方法において、
前記報知工程では、所定のリズムでの振動を周期的に繰り返す報知が可能であり、
前記報知制御工程では、前記判別結果が接続されている状態である場合、前記設定情報で特定される前記振動の周期よりも長い周期で前記報知工程において振動させる報知方法。
１５−１４．  １５−３から１５−１３のいずれかに記載の報知方法において、
前記報知制御工程では、前記判別結果が接続されている状態である場合、前記設定情報で特定される報知の継続時間よりも長く前記報知工程において報知させる報知方法。
１６．  コンピュータを、
所定のイベントの発生を検知する検知手段、
前記検知手段による前記所定のイベントの検知に応じて、報知処理を実行する報知手段、
報知機能を有する外部機器が接続手段に接続されている状態か否かを判別する判別手段、
前記報知手段を制御する報知制御手段、
として機能させ、
前記報知制御手段に、前記検知手段による前記所定のイベントの発生の検知に応じて、前記判別手段による判別結果を確認し、前記判別結果に基づいて、前記報知手段による報知の態様を決定させるプログラム。
１６−２．  １６に記載のプログラムにおいて、
前記外部機器は、前記所定のイベントの発生に応じて報知処理を実行するプログラム。
１６−３．  １６又は１６−２に記載のプログラムにおいて、
前記コンピュータを、前記報知処理の報知の態様を示す設定情報を記憶する設定記憶手段としてさらに機能させ、
前記報知制御手段を、
前記判別結果が接続されていない状態である場合、前記報知手段に、前記設定情報で特定される報知の態様で報知させ、
前記判別結果が接続されている状態である場合、前記報知手段に、前記設定情報で特定される報知の態様と異なる態様で報知させるように制御するプログラム。
１６−４．  １６−３に記載のプログラムにおいて、
前記報知手段に、音による報知、光による報知、及び、振動による報知の中の少なくとも１つで報知させ、
前記設定記憶手段に、前記報知の種別毎の報知の態様を示す前記設定情報を記憶させ、
前記報知制御手段に、前記報知手段による報知の態様を、前記報知の種別毎に決定させるプログラム。
１６−５．  １６−３又は１６−４に記載のプログラムにおいて、
前記外部機器は、音による報知、光による報知、及び、振動による報知の中の少なくとも１つで報知可能に構成されており、
前記コンピュータを、前記接続手段に接続されている前記外部機器が行う報知の種別を特定する種別特定手段としてさらに機能させ、
前記報知制御手段に、前記検知手段による前記所定のイベントの検知に応じて、前記種別特定手段が特定した前記報知の種別を確認させ、確認した前記報知の種別に基づいて、前記報知手段による報知の態様を決定させるプログラム。
１６−６．  １６−５に記載のプログラムにおいて、
前記報知制御手段を、
前記判別結果が接続されている状態である場合、前記種別特定手段が特定した前記報知の種別については、前記設定情報で特定される報知の態様と異なる態様で前記報知手段に報知させるよう制御するプログラム。
１６−７．  １６−５に記載のプログラムにおいて、
前記報知制御手段を、
前記判別結果が接続されている状態である場合、前記種別特定手段が特定した前記報知の種別と異なる種別については、前記設定情報で特定される報知の態様と異なる態様で前記報知手段に報知させるよう制御するプログラム。
１６−８．  １６−３から１６−７のいずれかに記載のプログラムにおいて、
前記報知手段に、音による報知を実行させ、
前記報知制御手段を、前記判別結果が接続されている状態である場合、前記設定情報で特定される報知の態様よりも大きい音量で前記報知手段に報知させるよう制御するプログラム。
１６−９．  １６−３から１６−７のいずれかに記載のプログラムにおいて、
前記報知手段に、音による報知を実行させ、
前記報知制御手段を、前記判別結果が接続されている状態である場合、前記設定情報で特定される報知の態様よりも小さい音量で前記報知手段に報知させるよう制御するプログラム。
１６−１０．  １６−３から１６−９のいずれかに記載のプログラムにおいて、
前記報知手段に、所定のリズムでの発光を周期的に繰り返す報知を実行させ、
前記報知制御手段を、前記判別結果が接続されている状態である場合、前記設定情報で特定される前記発光の周期よりも短い周期で前記報知手段に発光させるよう制御するプログラム。
１６−１１．  １６−３から１６−９のいずれかに記載のプログラムにおいて、
前記報知手段に、所定のリズムでの発光を周期的に繰り返す報知を実行させ、
前記報知制御手段を、前記判別結果が接続されている状態である場合、前記設定情報で特定される前記発光の周期よりも長い周期で前記報知手段に発光させるよう制御するプログラム。
１６−１２．  １６−３から１６−１１のいずれかに記載のプログラムにおいて、
前記報知手段に、所定のリズムでの振動を周期的に繰り返す報知を実行させ、
前記報知制御手段を、前記判別結果が接続されている状態である場合、前記設定情報で特定される前記振動の周期よりも短い周期で前記報知手段に振動させるよう制御するプログラム。
１６−１３．  １６−３から１６−１１のいずれかに記載のプログラムにおいて、
前記報知手段に、所定のリズムでの振動を周期的に繰り返す報知を実行させ、
前記報知制御手段を、前記判別結果が接続されている状態である場合、前記設定情報で特定される前記振動の周期よりも長い周期で前記報知手段に振動させるよう制御するプログラム。
１６−１４．  １６−３から１６−１３のいずれかに記載のプログラムにおいて、
前記報知制御手段を、前記判別結果が接続されている状態である場合、前記設定情報で特定される報知の継続時間よりも長く前記報知手段に報知させるよう制御するプログラム。
【符号の説明】
【００８５】
１Ａ    ＣＰＵ
２Ａ    ＲＡＭ
３Ａ    ＲＯＭ
４Ａ    通信部
５Ａ    表示制御部
６Ａ    ディスプレイ
７Ａ    操作受付部
８Ａ    操作部
９Ａ    音声制御部
１０Ａ  スピーカ
１１Ａ  ライト制御部
１２Ａ  ライト
１３Ａ  振動制御部
１４Ａ  振動発生部
１５Ａ  外部機器Ｉ／Ｆ
１６Ａ  補助記憶装置
１７Ａ  バス
１０    電子機器
１１    検知部
１２    報知部
１３    接続部
１４    判別部
１５    報知制御部
１６    設定記憶部
１７    種別特定部
【図１】
2015029170.tif 000003
【図２】
2015029170.tif 000004
【図３】
2015029170.tif 000005
【図４】
2015029170.tif 000006
【図５】
2015029170.tif 000007
【図６】
2015029170.tif 000008
【図７】
2015029170.tif 000009
【図８】
2015029170.tif 000010
【図９】
2015029170.tif 000011